(57)【要約】【課題】ドーム型スピーカ用振動板であって、最低共振周波数（ｆ０）や高音限界周波数（ｆｈ）等の音響特性を比較的簡単に変更可能とすること、より簡単に所望の音響特性のドーム型スピーカ用振動板を作製すること、上記ドーム型スピーカ用振動板を備えたスピーカを提供すること、等。【解決手段】スピーカ装置１００は、ドーム型振動板５が、ボイスコイル６が配置される筒形状のボイスコイルボビン部５１２、およびボイスコイルボビン部５１２の一端部に形成されたドーム形状部５１１が一体成形されたドーム状振動板５１と、外周部５２ａがスピーカフレーム４に固定され、中央部に開口部５２１が形成されたリング形状のエッジ状振動板５２とを有し、そのエッジ状振動板５２の開口部５２１にドーム状振動板５１のドーム形状部５１１が固定されている。【選択図】図３
2007235552.tif 000002
【特許請求の範囲】
【請求項１】
ボイスコイルが配置されるドーム型振動板を備えるスピーカであって、
前記ドーム型振動板は、
前記ボイスコイルが配置される筒形状のボイスコイルボビン部、および当該ボイスコイルボビン部の一端部に形成されたドーム形状部が一体成形されたドーム状振動板と、
外周部がスピーカフレームに固定され、中央部に開口部が形成されたリング形状のエッジ状振動板と、を有し、
該エッジ状振動板の開口部に前記ドーム状振動板が固定されていることを特徴とするスピーカ。
【請求項２】
前記ドーム状振動板は、前記ボイスコイルボビン部の他端部に、径方向外側に向かって突出した断面Ｌ字形状の突出部を備え、
該突出部により、前記ボイスコイルボビン部に配置した前記ボイスコイルが位置決めされていることを特徴とする請求項１に記載のスピーカ。
【請求項３】
前記エッジ状振動板の開口部の内周端部が、少なくとも前記ドーム形状部に固定されていることを特徴とする請求項１または請求項２に記載のスピーカ。
【請求項４】
前記ドーム状振動板は、前記エッジ状振動板と厚みが異なることを特徴とする請求項１から請求項３のいずれか一に記載のスピーカ。
【請求項５】
前記ドーム状振動板は、前記エッジ状振動板より厚く形成されていることを特徴とする請求項４に記載のスピーカ。
【請求項６】
前記ドーム状振動板は、前記エッジ状振動板と異なる材料にて形成されていることを特徴とする請求項１から請求項５のいずれか一に記載のスピーカ。
【請求項７】
前記ドーム状振動板は、少なくともフィルム状の樹脂材料または金属材料を含むことを特徴とする請求項６に記載のスピーカ。
【請求項８】
ボイスコイルが配置されるドーム型スピーカ用振動板であって、
前記ボイスコイルが配置される筒形状のボイスコイルボビン部、および当該ボイスコイルボビン部の一端部に形成されたドーム形状部が一体成形されたドーム状振動板と、
外周部がスピーカフレームに固定され、中央部に開口部が形成されたリング形状のエッジ状振動板と、を有し、
該エッジ状振動板の開口部に前記ドーム状振動板が固定されていることを特徴とするドーム型スピーカ用振動板。
【請求項９】
前記ドーム状振動板は、前記ボイスコイルボビン部の他端部に、径方向外側に向かって突出した断面Ｌ字形状の突出部を備え、
該突出部により、前記ボイスコイルボビン部に配置した前記ボイスコイルが位置決めされていることを特徴とする請求項８に記載のドーム型スピーカ用振動板。
【請求項１０】
ボイスコイルが配置されるドーム型スピーカ用振動板の製造方法であって、
筒形状のボイスコイルボビン部と、当該ボイスコイルボビン部の一端部に形成されたドーム形状部が一体成形されたドーム状振動板を有し、
前記ボイスコイルを前記ボイスコイルボビン部に配置する工程と、
前記ボイスコイルボビン部に前記ボイスコイルを配置した状態で、前記ドーム状振動板を、リング形状のエッジ状振動板の開口部に固定する工程とを有することを特徴とするドーム型スピーカ用振動板の製造方法。
【請求項１１】
前記ドーム状振動板は、前記ボイスコイルボビン部の他端部に、径方向外側に向かって突出した断面Ｌ字形状の突出部を備え、
該突出部により、前記ボイスコイルボビン部に配置した前記ボイスコイルが位置決めされていることを特徴とする請求項１０に記載のドーム型スピーカ用振動板の製造方法。
【発明の詳細な説明】
【技術分野】
【０００１】
本発明は、スピーカ、ドーム型スピーカ用振動板、およびドーム型スピーカ用振動板の製造方法に関するものである。
【背景技術】
【０００２】
電気信号を音響信号に変換するためのスピーカ装置として、一般的に図１に示すような、いわゆるドーム型スピーカ装置が知られている（例えば特許文献１参照）。このスピーカ装置１００ｊは、図１に示すように、プレート１ｊ、永久磁石等の磁石２ｊ、およびヨーク３ｊからなる内磁型磁気回路１０ｊを有する。このヨーク３ｊの開口端縁部に筒状のスピーカフレーム４ｊが配置され、スピーカフレーム４ｊがドーム型振動板５ｊを支持している。ドーム型振動板５ｊは、半球状の主部５１ｊと、この主部５１ｊの外周縁部に連続する断面Ｕ字形状の溝部５２ｊと、溝部５２ｊの外周縁部に設けられたダンパ部（エッジ部）５３ｊとを有する。このダンパ部５３ｊの外周端部５３１ｊは、フレーム４ｊに支持されている。ボイスコイル６ｊは、この溝部５２ｊ内に配置され、磁気回路１０ｊの磁気間隙１０ｋ内に位置決めされた状態で、振動板５ｊにより振動可能に支持されている。従来のドーム型振動板５ｊでは、例えば樹脂フィルムを金型を用いて加熱加圧成形することにより、上記主部５１ｊ、溝部５２ｊ、およびダンパ部５３ｊが一体成形されている。
【０００３】
【特許文献１】特開平９−３２２２８９号公報
【発明の開示】
【発明が解決しようとする課題】
【０００４】
ところでスピーカ装置の使用形態の多様性等により、より高性能な音響特性や所望の音響特性を備えるスピーカ装置が望まれている。しかし、上述したように一般的なドーム型振動板５ｊでは、主部５１ｊ、溝部５２ｊ、およびダンパ部５３ｊが、樹脂フィルムにより一体成形され、主に振動板の形状、厚さ、材質等により、最低共振周波数（ｆ０），高音限界周波数（ｆｈ）等の音響特性が決定されるので、その音響特性等の変更時には、振動板の形状や材料を新たに設計して金型を作り直し、その金型にて加熱加圧成形する必要がある。
【０００５】
また従来のドーム型振動板５ｊは、樹脂フィルムなどの単一材料にて一体成形されているので、形状変更だけでは、従来より低い最低共振周波数（ｆ０）やより高い高音限界周波数（ｆｈ）等の音響特性を得ることが技術的に困難である。
【０００６】
本発明は、このような問題に対処することを課題の一例とするものである。すなわち、ドーム型スピーカ用振動板であって、最低共振周波数（ｆ０）や高音限界周波数（ｆｈ）等の音響特性を比較的簡単に変更可能とすること、より簡単に所望の音響特性のドーム型スピーカ用振動板を作製すること、上記ドーム型スピーカ用振動板を備えたスピーカを提供すること、等が本発明の目的である。
【課題を解決するための手段】
【０００７】
このような目的を達成するために、本発明は、以下の各独立請求項に係る構成を少なくとも具備するものである。
【０００８】
請求項１に記載の発明は、ボイスコイルが配置されるドーム型振動板を備えるスピーカであって、前記ドーム型振動板は、前記ボイスコイルが配置される筒形状のボイスコイルボビン部、および当該ボイスコイルボビン部の一端部に形成されたドーム形状部が一体成形されたドーム状振動板と、外周部がスピーカフレームに固定され、中央部に開口部が形成されたリング形状のエッジ状振動板とを有し、該エッジ状振動板の開口部に前記ドーム状振動板が固定されていることを特徴とする。
【０００９】
請求項８に記載の発明は、ボイスコイルが配置されるドーム型スピーカ用振動板であって、前記ボイスコイルが配置される筒形状のボイスコイルボビン部、および当該ボイスコイルボビン部の一端部に形成されたドーム形状部が一体成形されたドーム状振動板と、外周部がスピーカフレームに固定され、中央部に開口部が形成されたリング形状のエッジ状振動板とを有し、該エッジ状振動板の開口部に前記ドーム状振動板が固定されていることを特徴とする。
【００１０】
請求項１０に記載の発明は、ボイスコイルが配置されるドーム型スピーカ用振動板の製造方法であって、筒形状のボイスコイルボビン部と、当該ボイスコイルボビン部の一端部に形成されたドーム形状部が一体成形されたドーム状振動板を有し、前記ボイスコイルを前記ボイスコイルボビン部に配置する工程と、前記ボイスコイルボビン部に前記ボイスコイルを配置した状態で、前記ドーム状振動板を、リング形状のエッジ状振動板の開口部に固定する工程とを有することを特徴とするドーム型スピーカ用振動板の製造方法。
【発明を実施するための最良の形態】
【００１１】
本発明の一実施形態に係るスピーカは、ボイスコイルが配置されるドーム型振動板を備えるスピーカである。このドーム型振動板は、ボイスコイルが配置される筒形状のボイスコイルボビン部、および当該ボイスコイルボビン部の一端部に形成されたドーム形状部が一体成形されたドーム状振動板と、外周部がスピーカフレームに固定され、中央部に開口部が形成されたリング形状のエッジ状振動板とを有し、このエッジ状振動板の開口部にドーム状振動板が固定されている。
【００１２】
好適には、ドーム状振動板は、ボイスコイルボビン部の他端部に、径方向外側に向かって突出した断面Ｌ字形状の突出部を備え、その突出部により、ボイスコイルボビン部に配置したボイスコイルが位置決めされている。
【００１３】
また、本発明の一実施形態に係るドーム型スピーカ用振動板の製造方法は、ボイスコイルが配置されるドーム型スピーカ用振動板の製造方法であって、筒形状のボイスコイルボビン部と、当該ボイスコイルボビン部の一端部に形成されたドーム形状部が一体成形されたドーム状振動板を有し、前記ボイスコイルを前記ボイスコイルボビン部に配置する工程と、前記ボイスコイルボビン部に前記ボイスコイルを配置した状態で、前記ドーム状振動板を、リング形状のエッジ状振動板の開口部に固定する工程とを有することを特徴とする。
【００１４】
好適には、ドーム状振動板は、ボイスコイルボビン部の他端部に、径方向外側に向かって突出した断面Ｌ字形状の突出部を備え、その突出部により、ボイスコイルボビン部に配置したボイスコイルが位置決めされている。
【００１５】
上記構成のドーム型スピーカ用振動板では、ドーム状振動板とエッジ状振動板の２つの部材を有し、このドーム状振動板がエッジ状振動板の開口部に固定されているので、例えばドーム状部とエッジ状部とが樹脂フィルムにより一体成形された一般的なドーム型振動板と比べて、最低共振周波数（ｆ０）や高音限界周波数（ｆｈ）等の音響特性を比較的簡単に変更可能とすることができる。
【００１６】
詳細には本発明に係るスピーカ用振動板では、ドーム状振動板とエッジ状振動板との厚みが異なるように形成したり、ドーム状振動板をエッジ状振動板と異なる材料にて形成することで、簡単に所望の最低共振周波数（ｆ０）や高音限界周波数（ｆｈ）等の音響特性に変更することができる。
【００１７】
また振動板製造時には、先ずボイスコイルをボイスコイルボビン部に配置した後、その状態でドーム状振動板をリング形状のエッジ状振動板の開口部に固定するので、簡単に上記構成のドーム型スピーカ用振動板を作製することができる。またボイスコイルボビン部の他端部に形成された突出部により、ボイスコイルボビン部に配置したボイスコイルを位置決めするので、簡単にボイスコイルボビン部の所定位置にボイスコイルを配置することができる。特に予め筒形状のボイスコイルを用意した場合には、そのボイスコイルをボイスコイルボビン部に嵌合させる際に突出部がストッパーとして機能して、高精度にボイスコイルを所定位置に配置することができる。
【００１８】
以下、図面を参照しながら本発明の一実施形態に係るスピーカ、ドーム型スピーカ用振動板、およびドーム型スピーカ用振動板の製造方法を説明する。
【００１９】
［第１実施形態］
図２は、本発明の第１実施形態に係るスピーカの断面図である。図３は、図２に示したスピーカの振動板付近の拡大断面図である。
【００２０】
本実施形態に係るスピーカ（スピーカ装置）１００は、例えば図２，図３に示すように、上面視で略円形状に形成されたプレート１、永久磁石等の磁石２、およびヨーク３を有する磁気回路１０を有する。この磁気回路１０において、ヨーク３の開口縁部とプレート１の端部間に磁気間隙１０ａが形成されている。磁気回路１０の外周部には筒形状のスピーカフレーム（フレーム）４が配置され、フレーム４の支持部４ａによりドーム型振動板（振動板）５を支持している。この振動板５は、ボイスコイル６を磁気回路１０の磁気間隙１０ａに振動可能に支持している。また例えばドーム型振動板５の中央部にはドーム状のキャップ８が貼り付けられている。なお図３においてキャップ８は省略している。ドーム型振動板５は本発明に係るスピーカ用振動板の一実施形態に相当する。
【００２１】
図４は図２に示したスピーカ装置のドーム型振動板５およびボイスコイル６の分解図である。図５は図４に示したスピーカ装置のドーム型振動板５およびボイスコイル６の斜視図である。本実施形態に係るドーム型振動板５は、図２〜図５に示すように、ドーム状振動板５１、およびエッジ状振動板５２を有する。ドーム状振動板５１およびエッジ状振動板５２は、それぞれ所望の音響特性を得るように樹脂フィルムや金属材料の各種材料により形成されている。
【００２２】
［ドーム状振動板５１］
ドーム状振動板５１は、ドーム形状部５１１、ボイスコイルボビン部５１２、突出部５１３を有する。この本実施形態に係るドーム状振動板５１では、ドーム形状部５１１、ボイスコイルボビン部５１２、および突出部５１３が、一体成形されている。
【００２３】
ドーム形状部５１１は、ボイスコイルボビン部５１２の一端部に形成され、ドーム形状に形成されている。
【００２４】
ボイスコイルボビン部５１２は、略円筒状、略楕円形状等の筒形状に形成され、ボイスコイル６が配置される。本実施形態ではボイスコイルボビン部５１２の外周部にボイスコイル６が配置されている。またボイスコイルボビン部５１２の内周部にボイスコイル６を配置してもよい。
【００２５】
突出部５１３は、ボイスコイルボビン部５１２の他端部に、ボイスコイルボビン部５１２の径方向外側に向かって突出した断面Ｌ字形状部である。本実施形態ではボイスコイルボビン部５１２の他端部において、突出部５１３が周方向に沿って全周にわたって形成されているが、この形態に限られるものではない。例えば突出部５１３は、ボイスコイルボビン部５１２の他端部において、周方向に沿った全周のうち一部に形成されていてもよい。また突出部５１３は、ボイスコイルボビン部５１２の他端部近傍、詳細にはボイスコイルボビン部５１２の端部からドーム形状部５１１側に向かって所定距離だけ間隔をおいた位置に形成されていてもよい。この突出部５１３により、ボイスコイルボビン部５１２に配置したボイスコイル６が所定位置に位置決めされる。特に予め筒形状のボイスコイル６を用意した場合には、そのボイスコイル６をボイスコイルボビン部５１２に嵌合させる際に突出部５１３がストッパーとして機能して、高精度にボイスコイルを所定位置に配置することができる。
【００２６】
［エッジ状振動板５２］
エッジ状振動板５２は、開口部５２１、内周端部５２２、およびダンパ部５２３を有する。開口部５２１は、エッジ状振動板５２の中央部に形成され、その内周端部５２２にエッジ状振動板５２が例えば接着剤等を介して固定される。詳細には、開口部５２１は、ドーム形状部５１１に固定される。本実施形態に係る内周端部５２２は、図２，３に示すように、ドーム形状部５１１の形状に応じた形状、例えば断面円弧形状に形成されている。ダンパ部５２３は、例えば図５２に示すように断面凸形状に形成され、外周部５２ｂがフレーム４に固定される。ダンパ部５２３の形状は、断面凸形状に限られるものではなく、例えば断面凹形状、断面波型形状など各種形状に形成されていてもよい。またエッジ状振動板５２の外周部５２ａがスピーカフレーム４に固定されている。
【００２７】
本実施形態に係るドーム状振動板５１は、例えば所望の音響特性を得るように、エッジ状振動板５２の厚みと異るように形成されている。詳細には例えばドーム状振動板５１を、エッジ状振動板５２より厚く形成してもよい。より具体的にはエッジ状振動板５２を比較的薄いフィルム状に形成し、ドーム状振動板５１を比較的厚いフィルム状に形成してもよい。上記構成により、例えば均一な膜厚の一般的なドーム型振動板と比べて、最低共振周波数（ｆ０）が比較的低く、高音限界周波数（ｆｈ）が比較的高い音響特性のドーム型振動板５を得ることができる。またドーム状振動板５１を比較的厚く形成することで、不要な共振振動を低減することができる。
【００２８】
また本実施形態に係るドーム状振動板５１は、例えば所望の音響特性を得るように、エッジ状振動板と異なる材料にて形成することが好ましい。詳細には、例えばドーム状振動板５１は、フィルム状の樹脂材料または金属材料により形成される。特にドーム状振動板５１を金属材料にて形成することでドーム状振動板５１の密度や剛性が高くなり、最低共振周波数（ｆ０）が比較的低く、高音限界周波数（ｆｈ）が比較的高い音響特性のドーム型振動板５を得ることができる。また不要な共振振動をさらに低減することができる。
【００２９】
本発明の一実施形態に係るドーム型振動板５の製造方法を、図２〜図５を参照しながら説明する。
【００３０】
先ず図４，図５に示すように、上記構成のドーム形状部５１１、ボイスコイルボビン部５１２、および突出部５１３を備えるドーム状振動板５１を作製する。詳細にはドーム状振動板５１の形成材料としては、例えばジュラルミン，アルミニウム，チタニウム，ベリリウム，マグネシウム合金，ボロン化チタン等の各種金属材料、ポリエチレン，ポリスチレンなどの樹脂材料、等各種材料を採用することができる。この形成材料を用いて、加圧成形、加熱加圧成形、射出成形などの各種製造方法により、ドーム形状部５１１、ボイスコイルボビン部５１２、および突出部５１３を一体成形する。製造方法は上記形態に限られるものではなく、例えば突出部５１３は別途形成してもよい。
【００３１】
次に図４，図５に示すように、予め用意した筒形状のボイスコイル（空芯コイル）６を、ドーム状振動板５１のドーム形状部５１１側から、ドーム状振動板５１のボイスコイルボビン部５１２に配置する。この際、突出部５１３により、ボイスコイルボビン部５１２に配置したボイスコイル６が位置決めされる。つまり突出部５１３はストッパとして機能する。この際、例えばボイスコイルボビン部５１２にコイルを巻回すことにより、ボイスコイル６をボイスコイルボビン部５１２に配置してもよい。そしてボイスコイルボビン部５１２にボイスコイル６を配置した状態で、それらの位置関係を保持するように接着剤によりそれぞれを固定する。
【００３２】
次に図４，５に示すような、予め上記構成のエッジ状振動板５２を作製しておく。詳細には、各種形成材料を用いて、加圧成形、加熱加圧成形、射出成形などの各種製造方法により、中央部に形成された開口部５２１とダンパ部５２３を備えるリング形状のエッジ状振動板５２を作製しておく。エッジ状振動板５２の形成材料は、例えばポリエチレン，ポリスチレン等の樹脂材料、ジュラルミン，アルミニウム等の各種金属材料、等の各種材料を採用することができる。製造方法は上記形態に限られるものではなく、例えば開口部５２１はパンチングにより形成してもよい。
【００３３】
次に図２〜図５に示すように、ボイスコイルボビン部５１２にボイスコイル６を配置した状態で、ドーム状振動板５１をリング形状のエッジ状振動板５２の開口部５２１に固定して、図２，３に示すようなドーム型振動板５が得られる。
【００３４】
上述した構成のスピーカ１００において、例えば音声信号を含む電気信号がボイスコイル６に入力されると、磁気間隙１０ａ内に配置されたボイスコイル６では、電気信号に応じた電磁力が生じ、ボイスコイル６を介してドーム型振動板５に駆動力が加わり、ドーム型振動板５が振動する。
【００３５】
［第２実施形態］
図６は、本発明の第２実施形態に係るスピーカ装置の主要部の断面拡大図である。第１実施形態と同一な構成や機能については説明を省略する。本実施形態に係るスピーカ装置（スピーカ）１００ａでは、図６に示すように、エッジ状振動板５２ｂの内周端部５２２ａが、ドーム形状部５１１と、ボイスコイルボビン部５１２の側面部に接合するような形状に形成され、ドーム形状部５１１およびボイスコイルボビン部５１２に接着剤を介して接着されている。
【００３６】
上記構成のスピーカ装置１００ａでは、第１実施形態と比べて、エッジ状振動板５２ｂとドーム状振動板５１との接着強度が比較的大きいので、剛性が高くなり、音響特性が向上する。
【００３７】
なお、本発明は上述した実施形態に限られるものではない。例えば、上述した本発明に係る実施形態を組み合わせてもよい。また本発明に係るドーム型振動板を、マイクロフォンなどの電気音響変換装置に適用してもよい。
【００３８】
また、上述した実施形態では磁気回路１０は、内磁型磁気回路を採用したが、この形態に限られるものではない。例えば磁気回路１０として、外磁型磁気回路を採用してもよい。
【００３９】
またドーム状振動板５１とエッジ状振動板５２との接着形態は、上記形態に限られるものではない。
【００４０】
以上説明したように、本発明に係るスピーカ装置１００は、ドーム型振動板５が、ボイスコイル６が配置される筒形状のボイスコイルボビン部５１２、およびボイスコイルボビン部５１２の一端部に形成されたドーム形状部５１１が一体成形されたドーム状振動板５１と、外周部５２ａがスピーカフレーム４に固定され、中央部に開口部５２１が形成されたリング形状のエッジ状振動板５２とを有し、そのエッジ状振動板５２の開口部５２１にドーム状振動板５１のドーム形状部５１１が固定されているので、例えばドーム状部とエッジ状部とが樹脂フィルムにより一体成形された一般的なドーム型振動板と比べて、最低共振周波数（ｆ０）や高音限界周波数（ｆｈ）等の音響特性を比較的簡単に変更可能とすることができる。
【００４１】
詳細には例えば本発明に係るドーム型振動板５では、所望の音響特性を得るように、ドーム状振動板５１とエッジ状振動板５２との厚みを異なるように形成したり、ドーム状振動板５１とエッジ状振動板５２とで形成材料が異なるように形成することで、簡単に所望の音響特性を得ることができる。
【００４２】
具体的には例えばエッジ状振動板５２を比較的薄いフィルム状に形成し、ドーム状振動板５１を比較的厚いフィルム状に形成することで、例えば均一な膜厚の一般的なドーム型振動板と比べて、最低共振周波数（ｆ０）が比較的低く、高音限界周波数（ｆｈ）が比較的高い音響特性のドーム型振動板５を得ることができる。またドーム状振動板５１を比較的厚く形成することで、不要な共振振動を低減することができる。
【００４３】
また、エッジ状振動板５２をフィルム状の樹脂材料により形成し、ドーム状振動板５１を金属材料にて形成することでドーム状振動板５１の密度や剛性が高くなり、最低共振周波数（ｆ０）が比較的低く、高音限界周波数（ｆｈ）が比較的高い音響特性のドーム型振動板５を得ることができる。また不要な共振振動をさらに低減することができる。
【００４４】
また振動板製造時には、先ずボイスコイル６をボイスコイルボビン部５１２に配置した後、その状態でドーム状振動板５１２をリング形状のエッジ状振動板５２の開口部５１１に固定するので、簡単に上記構成のドーム型スピーカ用振動板５を作製することができる。またボイスコイルボビン部５１２の他端部に形成された突出部５１３により、ボイスコイルボビン部５１２に配置したボイスコイル６を位置決めするので、簡単にボイスコイルボビン部５１２の所定位置にボイスコイル６を配置することができる。特に予め筒形状のボイスコイルを用意した場合には、そのボイスコイル６をボイスコイルボビン部５１２に嵌合させる際に突出部５１３がストッパーとして機能して、高精度にボイスコイル６を所定位置に配置することができる。
【図面の簡単な説明】
【００４５】
【図１】一般的なドーム型振動板を備えるドーム型スピーカ装置を説明するための断面図である。
【図２】本発明の第１実施形態に係るスピーカの断面図である。
【図３】図２に示したスピーカの振動板付近の拡大断面図である。
【図４】図２に示したスピーカ装置のドーム型振動板５およびボイスコイル６の分解図である。
【図５】図４に示したスピーカ装置のドーム型振動板５およびボイスコイル６の斜視図である。
【図６】本発明の第２実施形態に係るスピーカ装置の主要部の断面拡大図である。
【符号の説明】
【００４６】
１  プレート
２  磁石
３  ヨーク
４  スピーカフレーム（フレーム）
５  振動板（ドーム型振動板）
６  ボイスコイル
８  キャップ
１０  磁気回路
１０ａ  磁気間隙
５１  ドーム状振動板
５２  エッジ状振動板
５２ａ  外周部
５２ｂ  エッジ状振動板
１００  スピーカ（スピーカ装置）
５１１  ドーム形状部
５１２  ボイスコイルボビン部
５１３  突出部
５２１  開口部
５２２  内周端部
５２３  ダンパ部
【図１】
2007235552.tif 000003
【図２】
2007235552.tif 000004
【図３】
2007235552.tif 000005
【図４】
2007235552.tif 000006
【図５】
2007235552.tif 000007
【図６】
2007235552.tif 000008